(57)【要約】【課題】表示制御装置が有する複数の画像入力部のうち選択された画像入力部に基づく画像が当該表示制御装置によって表示されている間に、当該複数の画像入力部に応じた画像を他の装置で表示可能とする。【解決手段】表示制御装置１００は複数の画像入力部１０１と、当該複数の画像入力部１０１のうち第一の入力選択部１０３により選択された画像入力部１０１により入力された画像を表示する第一の画像出力部１０５と、当該複数の画像入力部１０１のうち第二の入力選択部１０４により選択された画像入力部１０１により入力された画像を外部表示装置で表示させるために送信する画像送信部１０７とを有する。を有する表示制御装置。【選択図】図３
2016130773.tif 000002
【特許請求の範囲】
【請求項１】
画像を入力するための複数の入力手段と、
前記複数の入力手段のうち第一の選択手段により選択された入力手段により入力された画像を表示する表示手段と、
前記複数の入力手段のうち第二の選択手段により選択された入力手段により入力された画像を前記表示手段とは異なる第２表示手段を有する外部表示装置に送信する送信手段と、
を有する表示制御装置。
【請求項２】
前記表示手段は、前記第一の選択手段により選択された入力手段により入力された画像を投射によって表示させる請求項１記載の表示制御装置。
【請求項３】
前記外部表示装置からコマンドを受信する受信手段を更に有し、
前記第一の選択手段は、前記表示手段に表示させる画像を入力する入力手段を、前記受信手段により受信された前記外部表示装置からのコマンドに応じて選択する請求項１又は２記載の表示制御装置。
【請求項４】
前記外部表示装置からコマンドを受信する受信手段を更に有し、
前記第二の選択手段は、前記第２表示手段に表示させる画像を入力する入力手段を、前記受信手段により受信された前記外部表示装置からのコマンドに応じて選択する請求項１又は２記載の表示制御装置。
【請求項５】
表示制御装置と、外部表示装置と、を含むシステムであって、
前記表示制御装置は、
画像を入力するための複数の入力手段と、
前記複数の入力手段のうち第一の選択手段により選択された入力手段により入力された画像を表示する表示手段と、
前記複数の入力手段のうち第二の選択手段により選択された入力手段により入力された画像を前記表示手段とは異なる第２表示手段を有する外部表示装置に送信する送信手段と、
を有し、
前記外部表示装置は、
前記表示制御装置より画像を受信する画像受信手段と、
前記画像受信手段により受信された画像を前記外部表示装置の前記第２表示手段に表示させる表示制御手段と、
を有するシステム。
【請求項６】
前記外部表示装置は、
ユーザ操作を受け付ける受付手段と、
前記受付手段により受け付けられたユーザ操作に応じて表示画像の切り替えに関するコマンドを前記表示制御装置に送信するコマンド送信手段を更に有する請求項５記載のシステム。
【請求項７】
画像を入力するための複数の入力手段と表示手段を有する表示制御装置が実行する表示制御方法であって、
前記複数の入力手段のうち第一の選択ステップにより選択された入力手段により入力された画像を前記表示手段に表示させる表示制御ステップと、
前記複数の入力手段のうち第二の選択ステップにより選択された入力手段により入力された画像を前記表示手段とは異なる第２表示手段を有する外部表示装置に送信する送信ステップと、
を含む表示制御方法。
【請求項８】
画像を入力するための複数の入力手段と表示手段に接続されたコンピュータに、
前記複数の入力手段のうち第一の選択ステップにより選択された入力手段により入力された画像を前記表示手段に表示させる表示制御ステップと、
前記複数の入力手段のうち第二の選択ステップにより選択された入力手段により入力された画像を前記表示手段とは異なる第２表示手段を有する表示装置に送信する送信ステップと、
を実行させるためのプログラム。
【発明の詳細な説明】
【技術分野】
【０００１】
本発明は、表示制御装置、システム、表示制御方法及びプログラムに関する。
【背景技術】
【０００２】
近年、画像再生装置において、画像再生装置本体での画像表示に加えて、スマートフォンやタブレット端末等、画像再生装置本体外でも画像等を表示する技術が提案されている（特許文献１）。特許文献１には、第一画面装置に主コンテンツを表示することに加えて、第二画面装置上に、第一画面上の主コンテンツに関する追加コンテンツを表示することが記載されている。
【先行技術文献】
【特許文献】
【０００３】
【特許文献１】特表２０１４−５１０４２５号公報
【発明の概要】
【発明が解決しようとする課題】
【０００４】
表示制御装置が有する複数の画像入力のうち選択された画像入力に基づく画像が当該表示制御装置によって表示されているときに、当該複数の画像入力に応じた１又は複数の画像が他の装置で表示されるようになると便利である。例えば、上記の選択に基づいて表示制御装置において表示される画像とは異なる１又は複数の画像を他の装置で表示させ、当該他の装置で当該選択画像を簡単に切り替えることが可能となる。
本発明は、表示制御装置が有する複数の画像入力部のうち選択された画像入力部に基づく画像が当該表示制御装置によって表示されている間に、当該複数の画像入力部に応じた画像を他の装置で表示可能とすることを目的とする。
【課題を解決するための手段】
【０００５】
そこで、本発明の表示制御装置は、画像を入力するための複数の入力手段と、前記複数の入力手段のうち第一の選択手段により選択された入力手段により入力された画像を表示する表示手段と、前記複数の入力手段のうち第二の選択手段により選択された入力手段により入力された画像を前記表示手段とは異なる第２表示手段を有する外部表示装置に送信する送信手段と、を有する。
【発明の効果】
【０００６】
本発明によれば、表示制御装置が有する複数の画像入力部のうち選択された画像入力部に基づく画像が当該表示制御装置によって表示されている間に、当該複数の画像入力部に応じた画像を他の装置で表示可能とすることができる。
【図面の簡単な説明】
【０００７】
【図１】表示制御装置のハードウェア構成の一例を示す図である。
【図２】表示制御装置のソフトウェア構成の一例を示す図である。
【図３】表示制御装置の情報処理の一例を示すフローチャートである。
【図４】画像表示システムのハードウェア構成等の一例を示す図である。
【図５】画像表示システムのソフトウェア構成等の一例を示す図である。
【図６】画像表示システムの情報処理の一例を示す図（その１）である。
【図７】画像表示システムの情報処理の一例を示す図（その２）である。
【発明を実施するための形態】
【０００８】
以下、本発明の実施形態について図面に基づいて説明する。
【０００９】
＜実施形態１＞
図１は、表示制御装置１００のハードウェア構成の一例を示す図である。
図１に示される様に表示制御装置１００は、ハードウェア構成として、入力部１０ａ〜１０ｄと、メモリ１１と、ＣＰＵ１２と、操作部１３と、出力部１４と、通信部１５と、を含む。即ち、表示制御装置１００は複数の画像入力部（入力部１０ａ〜ｄ）を備える表示制御装置である。
入力部１０ａ〜１０ｄは、パソコンやＤＶＤプレーヤー等の画像出力機器から出力された画像を入力する。画像入力方法としては、ＤＶＩやＨＤＭＩ（登録商標）等のビデオ信号でも良いし、インターネット等から画像を入力しても良い。本実施形態では４つの入力部１０ａ〜１０ｄを持つ場合を例に以下説明する。本実施形態では表示制御装置１００が４つの画像入力部を持つ場合について説明するが、４つに限るものではなく複数の入力部を持てば良い。メモリ１１は、画像を一時的に記憶したり、プログラムやＣＰＵ１２がプログラムに基づき処理を実行する際に用いるデータ等を記憶したりする。ＣＰＵ１２は、表示制御装置１００全体を制御する。ＣＰＵ１２がメモリ１１のプログラムに基づき処理を実行することによって表示制御装置１００のソフトウェア構成及び後述するフローチャートの処理が実現される。操作部１３は、ユーザ操作等を表示制御装置１００に入力する。出力部１４は、画像を出力する。出力部１４は、画像をスクリーン等に投射することで出力しても良いし、表示制御装置１００がディスプレイ等を有する場合は、ディスプレイ等に出力しても良い。通信部１５は、表示制御装置１００をネットワーク等に接続し、外部装置等との通信を制御する。
【００１０】
図２は、表示制御装置１００のソフトウェア構成の一例を示す図である。
画像入力部１０１ａ〜１０１ｄは、入力部１０ａ〜１０ｄに対応するソフトウェア構成であり、入力部１０を介して入力された画像を対応する画像分配部１０２に入力する。画像入力部１０１は、入力部１０に対応する数だけ存在すれば良く、４つに限られない。
画像分配部１０２は、画像入力部１０１から入力された画像を、第一の入力選択部１０３及び第二の入力選択部１０４にそれぞれ分配する。本実施形態では４つの画像入力部１０１ａ〜１０１ｄにそれぞれ対応した画像分配部１０２ａ〜１０２ｄを持つ場合を例に説明する。本実施形態では４つの画像分配部を持つ場合について説明するが、４つに限るものではなく画像入力部に対応した数を持てば良い。
第一の入力選択部１０３は、画像分配部１０２ａ〜１０２ｄから入力された画像のうち１つを選択して第一の画像出力部１０５に出力する。第一の入力選択部１０３による出力画像の選択は、コマンド処理部１０９で処理されたコマンドに基づいて制御される。
第二の入力選択部１０４は、画像分配部１０２ａ〜１０２ｄから入力された画像のうち１つを選択して画像キャプチャ部１０６に出力する。第二の入力選択部１０４による出力画像の選択は、コマンド処理部１０９で処理されたコマンドに基づいて制御される。ただし、第一の入力選択部１０３、及び、第二の入力選択部１０４は、それぞれ、複数の画像を選択することも可能である。
第一の画像出力部１０５は、第一の入力選択部１０３によって選択出力された画像を出力表示する。第一の画像出力部１０５は、出力部１４を介して、画像をスクリーン等に投射することで出力しても良いし、表示制御装置１００がディスプレイ等を有する場合は、ディスプレイ等に出力しても良い。
【００１１】
画像キャプチャ部１０６は、第二の入力選択部１０４によって選択出力された画像を、メモリ１１に取り込んでキャプチャする。画像キャプチャ部１０６は、第二の入力選択部１０４によって選択出力された画像信号がない場合は、画像がないことを示す画像を作成したり、画像の代わりに画像がないことを示すコマンドを生成したりする。
画像送信部１０７は、画像キャプチャ部１０６によってキャプチャ又は生成された画像や、画像がないことを示すコマンドを、外部装置に送信する。
コマンド受信部１０８は、リモコン等の外部装置から送信されたコマンドを受信する。本実施形態において、コマンドは、第一の入力選択部１０３、及び／又は、第二の入力選択部１０４における選択画像を指定するためのコマンドである。より具体的には、コマンドには、複数の画像のうち外部装置において選択された画像を識別するための識別情報と、第一の入力選択部１０３に関するコマンドであるか第二の入力選択部１０４に関するコマンドであるかを示す特定情報が含まれている。ただし、コマンドの形態は、上記のものに限らない。
コマンド処理部１０９は、コマンド受信部１０８によって受信されたコマンドの解釈処理を行う。コマンドが、第一の入力選択部１０３から出力する画像を選択するコマンドであれば、コマンド処理部１０９は、第一の入力選択部１０３を制御する。より具体的には、コマンド処理部１０９は、コマンドに含まれる識別情報に対応する画像入力部１０１を、複数の画像入力部１０１ａ〜ｄの中から特定する。そして、第一の入力選択部１０３に対して、特定済みの画像入力部１０１の識別情報を通知する。一方、コマンドが、第二の入力選択部１０４から出力する画像を選択するコマンドであれば、コマンド処理部１０９は、第二の入力選択部１０４を制御する。より具体的には、コマンド処理部１０９は、コマンドに含まれる識別情報に対応する画像入力部１０１を、複数の画像入力部１０１ａ〜ｄの中から特定する。そして、第二の入力選択部１０４に対して、特定済みの画像入力部１０１の識別情報を通知する。このようにすることで、外部装置からのコマンドにより、第一の画像出力部１０５で表示させる画像、及び、外部装置で表示させる画像を個別に切り替えることが可能である。
【００１２】
図３は、表示制御装置１００の情報処理の一例を示すフローチャートである。
ステップＳ２０１では、画像入力部１０１は、画像を入力する。
ステップＳ２０２では、画像分配部１０２は、入力された画像を第一の入力選択部１０３及び第二の入力選択部１０４に分配する。
ステップＳ２０３では、コマンド受信部１０８は、コマンドを受信しているか否かを判定する。コマンド受信部１０８は、コマンドを受信している場合、ステップＳ２０４に処理を進め、コマンドを受信していない場合、図３に示すフローチャートの処理を終了する。
ステップＳ２０４では、コマンド処理部１０９は、ステップＳ２０３で受信されたコマンドの判別を行う。コマンド処理部１０９は、前記コマンドが第一の入力選択コマンドであればステップＳ２０５に処理を進め、その他のコマンドであればステップＳ２０７に処理を進める。
ステップＳ２０５では、コマンド処理部１０９は、第一の入力選択部１０３を制御する。例えばコマンドが画像入力部１０１ａの選択を指示するコマンドであれば、コマンド処理部１０９は、画像入力部１０１ａを選択する。その結果、第一の入力選択部１０３は、画像入力部１０１ａから入力された画像を出力する。なお、ステップＳ２０５において、コマンド処理部１０９は、複数の画像入力部１０１を指定して、第一の入力選択部１０３を制御することも可能である。この場合、第一の画像出力部１０５には、複数の画像入力部１０１からそれぞれ入力された複数の画像を表示させることができる。
ステップＳ２０６では、第一の画像出力部１０５は、第一の入力選択部１０３で選択された画像を出力表示し、図３に示すフローチャートの処理を終了する。
【００１３】
ステップＳ２０７では、コマンド処理部１０９は、ステップＳ２０３で受信されたコマンドの判別を行う。コマンド処理部１０９は、前記コマンドが第二の入力選択コマンドであればステップＳ２０８に処理を進め、その他のコマンドであれば図３に示すフローチャートの処理を終了する。
ステップＳ２０８では、コマンド処理部１０９は、第二の入力選択部１０４を制御する。例えばコマンドが画像入力部１０１ｂの選択を指示するコマンドであれば、コマンド処理部１０９は、画像入力部１０１ｂを選択する。その結果、第二の入力選択部１０４は、画像入力部１０１ｂから入力された画像を出力する。なお、ステップＳ２０８において、コマンド処理部１０９は、複数の画像入力部１０１を指定して、第一の入力選択部１０３を制御することも可能である。この場合、画像送信部１０７は、複数の画像入力部１０１からそれぞれ入力された複数の画像を外部装置に送信することができる。また、外部装置は、画像送信部１０７により送信された複数の画像を表示させることができる。
ステップＳ２０９では、画像キャプチャ部１０６は、第二の入力選択部１０４で選択された入力の画像があるかないかを判別する。画像キャプチャ部１０６は、画像があればステップＳ２１０に処理を進め、画像がなければステップＳ２１１に処理を進める。
ステップＳ２１０では、画像キャプチャ部１０６は、第二の入力選択部１０４で選択された入力画像をキャプチャする。
ステップＳ２１１では、画像キャプチャ部１０６は、入力画像がないことを示す画像を生成する。
ステップＳ２１２では、画像送信部１０７は、ステップＳ２１０でキャプチャされた画像、又はステップＳ２１１で生成された画像を外部機器に送信し、図３に示すフローチャートの処理を終了する。
【００１４】
以上説明した様に、本実施形態の処理によれば、第一の表示制御装置３００に入力されている画像をリアルタイムに外部装置に出力することが可能となる。
【００１５】
＜実施形態２＞
以下、実施形態１と異なる点を主に説明する。
図４は、表示制御システムの構成及び各装置のハードウェア構成の一例を示す図である。
図４に示される様に、表示制御システムは、第一の表示制御装置３００と、第二の表示制御装置３０１と、を含む。
第一の表示制御装置３００のハードウェア構成は、実施形態１の表示制御装置１００のハードウェア構成と同様である。
第二の表示制御装置３０１は、ハードウェア構成として、メモリ２１と、ＣＰＵ２２と、操作部２３と、表示部２４と、通信部２５と、を含む。
メモリ２１は、画像を一時的に記憶したり、プログラムやＣＰＵ２２がプログラムに基づき処理を実行する際に用いるデータ等を記憶したりする。ＣＰＵ２２は、第二の表示制御装置３０１全体を制御する。ＣＰＵ２２がメモリ２１のプログラムに基づき処理を実行することによって第二の表示制御装置３０１のソフトウェア構成等が実現される。操作部２３は、ユーザ操作等を第二の表示制御装置３０１に入力する。表示部２４は、画像やＣＰＵ２２による処理結果等を表示する。なお、操作部２３及び表示部２４は、操作表示部として一体として構成されていても良い。通信部２５は、第二の表示制御装置３０１をネットワーク等に接続し、第一の表示制御装置３００等の外部装置との通信を制御する。
【００１６】
図５は、表示制御システムの各装置のソフトウェア構成等の一例を示す図である。
第一の表示制御装置３００のソフトウェア構成は、実施形態１の表示制御装置１００のソフトウェア構成と同様である。
但し、実施形態２では、画像送信部１０７は、画像キャプチャ部１０６によってキャプチャ又は生成された画像や、画像がないことを示すコマンドを、外部装置の一例である第二の表示制御装置３０１に送信する。同様に、実施形態２では、コマンド受信部１０８は、外部装置の一例である第二の表示制御装置３０１から送信されたコマンドを受信する。
次に、第二の表示制御装置３０１のソフトウェア構成について説明する。
画像受信部３０２は、画像送信部１０７によって送信された画像を受信する。
第二の画像出力部３０３は、画像受信部３０２で受信した画像を表示部２４等に出力する。第二の画像出力部３０３の処理は、表示制御の処理の一例である。
操作部３０４は、操作部２３を介した操作者の操作を受け付ける。例えば、操作部３０４は、操作者より、第一の表示制御装置３００で表示するための画像（表示画像）を入力する画像入力部１０１に関する選択操作を受け付ける。また、操作部３０４は、操作者より、第一の表示制御装置３００から第二の表示制御装置３０１に送信するための画像を入力する画像入力部１０１に関する選択操作を受け付ける。操作部３０４の処理は、受付処理の一例である。
コマンド生成部３０５は、操作部３０４が受け付けた操作者の選択操作等に応じて、コマンドを生成する。
コマンド送信部３０６は、コマンド生成部３０５で生成されたコマンドを第一の表示制御装置３００のコマンド受信部１０８に送信する。
【００１７】
図６は、表示制御システムの情報処理の一例を示す図である。
投射画像４００は第一の表示制御装置３００の第一の画像出力部１０５によって投射出力されている画像を表す。また画像出力機器４０１〜４０４は、表示制御装置３００に接続されたパソコンやＤＶＤプレーヤー等の画像出力機器である。画像出力機器４０１が画像入力部１０１ａに、画像出力機器４０２が画像入力部１０１ｂにというようにそれぞれ接続されている。画像４０５は画像出力機器４０１から出力された画像を模式的に表している。画像４０６は画像出力機器４０２から出力された画像を模式的に表している。画像４０７は第二の表示制御装置３０１の第二の画像出力部３０３によって出力されている画像を表している。
【００１８】
図６では、画像出力機器４０１から入力された画像が、第一の入力選択部１０３によって選択され、第一の画像出力部１０５によって出力された画像が投射画像４００として投射されている。
また、画像出力機器４０２から入力された画像は、第二の入力選択部１０４によって選択され、画像キャプチャ部１０６、画像送信部１０７を介して送信され、画像受信部３０２によって受信されたのち第二の画像出力部３０３で表示されている。
更に、操作部２３はタッチパネルによって構成され、第一の表示制御装置３００で表示する入力画像を選択するための入力選択ボタン４０９ａ〜４０９ｄと、第二の表示制御装置３０１で表示する入力画像を選択するための入力選択ボタン４０８ａ〜４０８ｄとからなっている。
入力選択ボタン４０９ａ〜４０９ｄのうち、入力選択ボタン４０９ａが操作されることにより、第一の表示制御装置３００で表示する画像を入力する入力部として画像入力部１０１ａが選択される。そして、画像入力部１０１ａより入力された画像が第一の画像出力部１０５によって投射画像４００として投射される。
また、入力選択ボタン４０８ａ〜４０８ｄのうち、入力選択ボタン４０８ｂが操作されることにより、第二の表示制御装置３０１で表示する画像を入力する入力部として画像入力部１０１ｂが選択される。そして、画像入力部１０１ｂより入力された画像が第二の画像出力部３０３によって出力される。
【００１９】
図７では、画像出力機器４０１から入力された画像が、第一の入力選択部１０３によって選択され、第一の画像出力部１０５によって出力された画像が投射画像４００として投射されている。
また、画像出力機器４０１から入力された画像は、第二の入力選択部１０４によって選択され、画像キャプチャ部１０６、画像送信部１０７を介して送信され、画像受信部３０２によって受信されたのち第二の画像出力部３０３で表示されている。
更に、操作部２３はタッチパネルによって構成され、第一の表示制御装置で表示する入力画像を選択するための入力選択ボタン４０９ａ〜４０９ｄと、第二の表示制御装置で表示する入力画像を選択するための入力選択ボタン４０８ａ〜４０８ｄとからなっている。
入力選択ボタン４０９ａ〜４０９ｄのうち、入力選択ボタン４０９ａが操作されることにより、第一の表示制御装置３００で表示する画像を入力する入力部として画像入力部１０１ａが選択される。そして、画像入力部１０１ａより入力された画像が第一の画像出力部１０５によって投射画像４００として投射される。
また、入力選択ボタン４０８ａ〜４０９ｄのうち、入力選択ボタン４０８ａが操作されることにより、第二の表示制御装置３０１で表示する画像を入力する入力部として画像入力部１０１ａが選択される。そして、画像入力部１０１ａより入力された画像が第二の画像出力部３０３によって出力される。
【００２０】
なお、上記の実施形態では、第一の表示制御装置３００と第二の表示制御装置３０１で表示される画像が、それぞれ１つずつである場合の例を中心に説明したが、この形態に限らず、複数の画像入力部１０１からの複数の画像を同時に表示させることも可能である。
また、本実施形態では、第一の表示制御装置３００により表示させる画像と、第二の表示制御装置３０１で表示させる画像とを、それぞれ個別に指定する場合の例を中心に説明したが、この例に限らない。例えば、第一の表示制御装置３００と第二の表示制御装置３０１とで同じ画像を表示させることを予め指定しておけば、あとは第一又は第二の表示制御装置に対するコマンドの送信によって第一及び第二の入力選択部を制御することができる。
【００２１】
また、例えば、複数の画像入力部１０１ａ〜ｄからの画像のうち、第一の表示制御装置３００により表示されていない画像を第二の表示制御装置３０１により表示させることを外部装置から予め指定することも可能である。このような指定をしたあとに、例えば画像入力部１０１ｂからの画像を第一の入力選択部１０３に選択させるためのコマンドをコマンド受信部１０８が受信した場合、コマンド処理部１０９は以下のように動作する。即ち、コマンド処理部１０９は、第一の入力選択部１０３に画像入力部１０１ｂからの画像を選択させ、且つ、画像入力部１０１ａ、ｃ、ｄからの画像を第二の入力選択部１０４に選択させる。
また、本実施形態のコマンド処理部１０９は、複数の画像入力部１０１ａ〜ｄのうち、画像が入力されていない画像入力部１０１を特定することが可能である。そして、コマンド処理部１０９は、第一の表示制御装置３００により表示されていない画像を第二の表示制御装置３０１により表示させることが指定されている場合、以下のように動作する。即ち、コマンド処理部１０９は、複数の画像入力部１０１ａ〜ｄのうち、第一の表示制御装置３００で表示される画像に対応せず、且つ、画像が入力されている画像入力部１０１からの画像を第二の入力選択部１０４に選択させる。これにより、例えば、画像入力部１０１ａからの画像が第一の表示制御装置３００で表示され、画像入力部１０１ｃから画像が入力されていない場合、第二の表示制御装置３０１では、画像入力部１０１ｂとｄからの画像が表示される。この場合、第一の表示制御装置３００で表示される画像の切り替えに応じて、自動的に、第二の表示制御装置３０１で表示される画像も切り替わる。
【００２２】
以上説明したように、本実施形態の処理によれば、第一の表示制御装置３００に入力されている画像をリアルタイムに第二の表示制御装置３０１でも表示可能となる。
実施形態２では、第一の表示制御装置３００が画像を投射する例を用いて説明を行った。しかし、実施形態２の処理は、これに限られるものではない。第一の表示制御装置３００はディスプレイ等に画像を表示するようにしても良い。
【００２３】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２４】
以上、上述した各実施形態によれば、画像処理装置に入力されている画像を外部表示装置でも表示可能とすることができる。
【符号の説明】
【００２５】
１１  メモリ
１２  ＣＰＵ
１００  表示制御装置
１０１  画像入力部
１０３  第一の入力選択部
１０４  第二の入力選択部
１０５  第一の画像出力部
１０７  画像送信部
【図１】
2016130773.tif 000003
【図２】
2016130773.tif 000004
【図３】
2016130773.tif 000005
【図４】
2016130773.tif 000006
【図５】
2016130773.tif 000007
【図６】
2016130773.tif 000008
【図７】
2016130773.tif 000009